(57)【要約】【課題】  容易かつコストをかけずに遊技盤の外観の変更を可能にする。【解決手段】  静止役物２０は、遊技盤に設けられた通常入賞口９に入るパチンコ球を受ける構造物である。静止役物２０には、２つの圧入部材２２ａ，２２ｂが設けられている。遊技盤には、２つの役物取付け穴２１ａ，２１ｂが設けられている。静止役物２０は、圧入部材２２ａ，２２ｂが役物取付け穴２１ａ，２１ｂに圧入されることによって遊技盤に保持される。静止役物２０は、遊技盤に着脱自在であるため、遊技盤の外観を変更するときに容易に交換することができる。【選択図】        図２
2005230089.tif 000002
【特許請求の範囲】
【請求項１】
盤面上で落下させる遊技媒体の障害物となる釘が設けられた遊技盤を備えた遊技機において、
前記遊技盤には、前記遊技盤に形成された取り付け穴に圧入される圧入部材を有するとともに前記圧入部材を前記取り付け穴に圧入することにより前記盤面上に保持される構造物が設けられていることを特徴とする遊技機。
【請求項２】
前記構造物は照明装置を備えており、前記取り付け穴には前記照明装置を制御する制御装置に接続された第１のコネクタが設けられ、前記圧入部材には前記照明装置に接続されるとともに、前記圧入部材が前記取り付け穴に圧入されたときに前記第１のコネクタに接続される第２のコネクタが設けられていることを特徴とする請求項１記載の遊技機。
【請求項３】
前記構造物は、前記圧入部材を軸として回転自在に取り付けられる透光性の素材から形成された可動部材を備え、前記照明装置は前記圧入部材に設けられていることを特徴とする請求項２記載の遊技機。
【請求項４】
前記取り付け穴及び前記圧入部材のいずれか一方には、前記圧入部材の圧入方向に対して交差する方向に突出した抜け止め部材が設けられており、他方には前記抜け止め部材が嵌合する抜け止め穴が設けられていることを特徴とする請求項１ないし３にいずれか１つ記載の遊技機。
【発明の詳細な説明】
【技術分野】
【０００１】
本発明は、盤面上を落下する遊技媒体の障害物となる釘と、盤面上に保持される構造物とが設けられた遊技盤を備える遊技機に関する。
【背景技術】
【０００２】
遊技店に設置される遊技機の一つとして知られているパチンコ遊技機では、遊技媒体として使用されるパチンコ球を遊技盤に向かって打ち出し、遊技盤の盤面上でパチンコ球を落下させることにより遊技が行われる。遊技盤には入賞口及びアウト口が設けられておりいる。パチンコ球が入賞口に入ると入賞となり、所定個数のパチンコ球が賞球として払い出される。また、アウト口に入ったパチンコ球は回収される。パチンコ球には一定の価値が与えられており、遊技を行って獲得したパチンコ球はその球数に応じた景品と交換することができ、遊技者はより多くのパチンコ球を獲得することを目的に遊技を楽しむ。
【０００３】
遊技盤には、入賞口やアウト口の他にも、パチンコ球と衝突してその落下経路を様々に変化させる障害釘や、落下するパチンコ球の勢いを利用して回転する風車、特定の条件が満たされたときに入賞口の近傍で周期的な動作を行ってパチンコ球が入賞するように補助する装置等が設けられている。遊技盤に設けられる構造物は、盤面上に打ち付けられる障害釘を除き、役物とも呼ばれており、遊技盤を装飾し、遊技の難易度や面白味を決定する要素となっている。
【発明の開示】
【発明が解決しようとする課題】
【０００４】
しかしながら、従来では、上述した役物をビス止めや接着剤を用いて遊技盤に固着していたため、役物の破損や故障等により交換を要する場合にはその交換作業に手間がかかるという問題があった。
【０００５】
本発明は、上記問題点を考慮してなされたもので、遊技盤に設けられる役物の取り付けや取外しを容易にした遊技機を提供することを目的とする。
【課題を解決するための手段】
【０００６】
上記目的を達成するために、本発明は、遊技盤に、その盤面上で落下させる遊技媒体の障害物となる釘と、前記遊技盤に形成された取り付け穴に圧入される圧入部材を有し、前記圧入部材を前記取り付け穴に圧入することにより前記盤面上に保持される構造物とが設けられていることを特徴とする。
【０００７】
また、前記構造物は照明装置を備えており、前記取り付け穴には前記照明装置を制御する制御装置に接続された第１のコネクタが設けられ、前記圧入部材には前記照明装置に接続されるとともに、前記圧入部材が前記取り付け穴に圧入されたときに前記第１のコネクタに接続される第２のコネクタが設けられていることを特徴とする。
【０００８】
また、前記構造物は、前記圧入部材を軸として回転自在に取り付けられる透光性の素材から形成された可動部材を備え、前記照明装置は前記圧入部材に設けられていることを特徴とする。
【０００９】
また、前記取り付け穴及び前記圧入部材のいずれか一方には、前記圧入部材の圧入方向に対して交差する方向に突出した抜け止め部材が設けられており、他方には前記抜け止め部材が嵌合する抜け止め穴が設けられていることを特徴とする。
【発明の効果】
【００１０】
請求項１に記載の発明によれば、遊技盤に対して構造物を固着することなく着脱自在に取り付けているから、構造物の破損や故障が発生した際には、容易かつ迅速に交換が行える。また、遊技盤に設けられている既存の構造物をデザインの異なるものと交換し、遊技盤の外観を変更することが容易に行える。特に、取り付け穴を遊技盤の様々な位置に設けることによって構造物の配置を変更できるようにすれば遊技盤の外観を変更するのみならず、遊技盤を再利用した機種の変更が可能となり、機種の変更に要するコストを低減できる。
【００１１】
また、請求項２に記載の発明によれば、圧入部材と取り付け穴にそれぞれコネクタを設け、照明装置を備えた構造物を遊技盤に取り付けると同時に電気的な接続を行えるから、構造物の交換時に要する手間を減らすことができる。
【００１２】
また、請求項３に記載の発明によれば、圧入部材に照明装置を設けることによって、照明装置の配線が可動部材と圧入部材との間に介在せず、盤面上を落下する遊技媒体の接触により可動部材が回転しても、照明装置の配線が可動部材の回転を阻害することを防ぐことができる。
【００１３】
また、請求項４に記載の発明によれば、遊技盤に取り付けられた構造物に優れた抜け止め効果が与えられ、遊技媒体が勢いよく衝突する位置に設けられた構造物であっても、構造物が遊技盤から外れにくくなる高い耐久性を確保できる。
【発明を実施するための最良の形態】
【００１４】
図１において、パチンコ遊技機２は、本体枠３に遊技盤４が設けられている。本体枠３には、前面扉５が開閉自在に設けられている。遊技盤４には、液晶表示装置７、始動入賞口８、通常入賞口９、通過入賞口１０、アタッカ１１、アウト口１２が設けられている。遊技盤４の盤面は、上記各入賞口等の他に障害釘等が設けられており、パチンコ球が進路を様々に変えながら適度な時間を費やして落下する遊技領域として構成されている。パチンコ遊技機２には、パチンコ球を発射する発射装置、賞球を払い出す払い出し装置、電源回路、ランプ、スピーカーなどが組み付けられている。
【００１５】
前面扉５の下方には、パチンコ球を供給するための供給皿１５及びパチンコ球の打ち出し強さを調節する操作ハンドル１６が設けられている。供給皿１５に投入されたパチンコ球は発射装置へ誘導され、操作ハンドル１６の操作によって遊技盤４に向けて１コずつ打ち出される。打ち出されたパチンコ球は、始動入賞口８、通常入賞口９、アウト口１２のいずれかに入る。始動入賞口８、通常入賞口９にパチンコ球が入賞すると、それぞれ所定個数のパチンコ球が賞球として払い出される。アウト口１２に入ったパチンコ球は入賞から外れたものとして回収される。また、始動入賞口８にパチンコ球が入賞した場合には電子抽選が行われ、その結果が液晶表示装置７に表示される。
【００１６】
液晶表示装置７は、図柄等の識別情報の可変表示を行い、可変表示が停止したときに表示されている識別情報の種類や組み合わせにより当たりか否かを表示する。当たりが得られると、通常の遊技よりも賞球を多く獲得できる有利な遊技状態へと移行し、アタッカ１１が開放されることにより他の入賞口よりもパチンコ球が入賞しやすい大入賞口が出現する。アタッカ１１は、所定時間開放されるか、大入賞口に所定個数のパチンコ球が入賞することを条件に閉じられ、同じ条件に基づいて開閉動作を複数回繰り返す。
【００１７】
図２において、遊技盤４には、通常入賞口９に入賞するパチンコ球を受ける静止役物（構造物）２０が設けられている。遊技盤４には、円柱形の２つの役物取り付け穴２１ａ，２１ｂが形成されている。静止役物２０には、円柱形状に突出した２つの圧入部材２２ａ，２２ｂが設けられている。圧入部材２２ａ，２２ｂは役物取り付け穴２１ａ，２１ｂとそれぞれ嵌合し、静止役物２０は遊技盤４の盤面上に保持される。すなわち、圧入部材２２ａ，２２ｂは役物取り付け穴２１ａ，２１ｂの直径とほぼ同じ大きさの円形断面を有しており、圧入部材２２ａ，２２ｂは役物取り付け穴２１ａ，２１ｂに圧入される。したがって、役物取り付け穴２１ａ，２１ｂの内周面と圧入部材２２ａ，２２ｂの外周面との間には、パチンコ球の衝突する衝撃で静止役物２０が遊技盤４からはずれることのない大きさの摩擦力が生じる。
【００１８】
図３において、役物取り付け穴２１ａの内部にはコネクタ（第１のコネクタ）２３が設けられている。圧入部材２２ａにはその先端の位置にコネクタ（第２のコネクタ）２４が設けられている。静止役物２０は、透光性の素材から形成され、その内部には静止役物２０を照明するための照明装置２５が設けられている。照明装置２５は、基板２６に取り付けられた複数の発光ダイオード２７を備えている。基板２６は、ハーネス２８を介してコネクタ２４に接続されている。なお、照明装置２５の光源としては発光ダイオードに限らずフィラメントを有する電球等を用いてもよい。
【００１９】
コネクタ２３は、パチンコ遊技機２の電気的な動作を管理する制御装置２９と接続されている。コネクタ２３は、圧入部材２２ａが役物取り付け穴２１ａに圧入された際にコネクタ２４と接続される。制御装置２９は、コネクタ２３とコネクタ２４が接続されることによって照明装置２５と接続され、発光ダイオード２７を発光させるタイミングや発光時間を制御する。例えば、通常入賞口９にパチンコ球が入賞したときに、制御装置２９は照明装置２５の発光ダイオード２７を発光させる。すると、静止役物２０が発光ダイオードの光によってその内部から照明され、入賞が得られたことが遊技者に報知される。
【００２０】
図４において、遊技盤４には、回転役物（構造物）３０が設けられている。回転役物３０はパチンコ球を受ける複数のポケット３０ａが円形に配列して設けられている。回転役物３０は、遊技盤４に設けられた役物取り付け穴３１に圧入する圧入部材３２と、ポケット３０ａが設けられた可動部材３３とから構成されている。回転役物３０は、圧入部材３２が役物取り付け穴３１に圧入されることにより遊技盤４の盤面上に保持される。障害釘３４によって誘導されたパチンコ球がポケット３０ａに入ると、可動部材３３はパチンコ球が落下する勢いによって圧入部材３２を軸として回転し、回転した方向の違いによってパチンコ球の進路を変更する。
【００２１】
図５において、圧入部材３２にはフランジ３５が設けられている。可動部材３３には、フランジ３５が摺動する摺動溝３６が設けられている。フランジ３５と摺動溝３６により、可動部材３３は圧入部材３２に軸支され、圧入部材３２から可動部材３３が抜けることが防止される。圧入部材３２には、その先端の位置に照明装置３７が設けられている。照明装置３７は、発光ダイオードからなり、圧入部材３２と可動部材３３の間の空間Ｓに設けられている。圧入部材３２は、照明装置３７とは逆側の先端の位置にハーネス３８を介して照明装置３７と接続されたコネクタ（第２のコネクタ）３９が設けられている。役物取り付け穴３１にはコネクタ（第１のコネクタ）４０が設けられている。
【００２２】
コネクタ３９は、圧入部材３２が役物取り付け穴３１に圧入されたときにコネクタ４０と接続される。コネクタ４０は制御装置２９に接続されており、回転役物３０が遊技盤４に取り付けられると、制御装置２９と照明装置３７が接続される。制御装置２９は照明装置３７を制御し、例えば遊技中の特定のタイミングで発光ダイオードを発光させる。照明装置３７は圧入部材３２に設けられているため、ポケット３０ａにパチンコ球が入ったときに可動部材３３が回転しても、ハーネス３８にねじれが生じることや可動部材３３に絡まることはなく、可動部材３３の回転運動に影響を与えることはない。
【００２３】
このように、静止役物２０と回転役物３０は、遊技盤４に設けられた役物取り付け穴２１ａ，２１ｂ及び３１に対して圧入部材２２ａ，２２ｂ及び３２をそれぞれ圧入されることによって遊技盤４に容易に取り付けられる。また、遊技盤４から静止役物２０及び回転役物３０を引き抜けば、これらを容易に取り外すことができる。
【００２４】
なお、上記実施形態において、静止役物２０と回転役物３０に設けられる圧入部材２２ａ，２２ｂ，３２は全て円柱形状をしているが、例えば図６に示すような抜け止め効果が高められる構造としてもよい。図６（ａ）において、静止役物４５は、通常入賞口９に入賞するパチンコ球を受ける構造物である。静止役物４５には、円筒状の圧入部材４６が設けられている。圧入部材４６は遊技盤４に設けられた役物取り付け穴４７に圧入され、静止役物４５が遊技盤４に取り付けられる。圧入部材４６の外周面には、役物取り付け穴４７に差し込まれる方向に対して垂直な方向に突出した２つの抜け止め部材４８ａ，４８ｂが設けられている。また、役物取り付け穴４７には、抜け止め部材４８ａ，４８ｂが嵌合し、圧入部材４６が差し込まれる方向に対して垂直な方向に陥没した抜け止め穴４９ａ，４９ｂが設けられている。なお、抜け止め部材４８ａ，４８ｂと抜け止め穴４９ａ，４９ｂは、圧入部材４６の圧入方向に対して交差する方向に突出又は陥没して設けられたものであればよく、圧入方向に対して垂直な方向から傾いた方向に設けられたものであってもよい。
【００２５】
圧入部材４６は中空になっており、円筒形の軸方向と垂直な方向に押圧することにより撓み、この押圧を止めたときに元の円筒形状に戻るように弾性特性に優れた素材から形成されている。抜け止め部材４８ａ，４８ｂは、互いの先端を直線で結んだときの長さＬが役物取り付け穴４７の直径よりも大きくなるように突出して形成されている。このため、そのままの形状では圧入部材４６を役物取り付け穴４７に差し込むことができず、図６（ｂ）に示すように、圧入部材４６を外側から押圧して押し潰すように変形させ、圧入部材４６を役物取り付け穴４７の直径よりも小さくし、役物取り付け穴４７の内部に押し込む。抜け止め部材４８ａ，４８ｂが抜け止め穴４９が形成された位置に達すると、圧入部材４６の弾性力によって抜け止め部材４８ａ，４８ｂが抜け止め穴４９ａ，４９ｂに嵌合し、静止役物４５は遊技盤４にしっかり取り付けられる。
【００２６】
なお、本発明における構造物としては、静止役物２０及び４５や回転役物３０以外にも、アタッカ１１を一例とする電動役物等、またこれらを取り付けるためのベースとなる構造物等に適用してもよく、遊技盤４に設けられる障害釘を除くあらゆる構造物に対して等しく適用できる。また、構造物に設けられる圧入部材は、遊技盤に形成される取り付け穴の形状と合致する形状であるのが好ましく、円形の取り付け穴に対して多角形状の断面を有する圧入部材が嵌合するものでもよい。また、取り付け穴を多角形状にしてもよく、要は圧入可能であればよい。さらに、構造物を取り付ける位置がすぐに認識できるように、互いに嵌合する構造物の圧入部材と遊技盤の取り付け穴の周辺部とを同じ色に着色しておいてもよい。また、本発明はパチンコ遊技機に限らず、パチンコ球と異なる遊技球が用いられる他の弾球遊技機、メダル等の円盤形状の遊技媒体を打ち出して遊技を行う遊技機等にも適用できる。
【図面の簡単な説明】
【００２７】
【図１】パチンコ遊技機の斜視図である。
【図２】静止役物の斜視図である。
【図３】静止役物と遊技盤の断面図である。
【図４】回転役物の斜視図である。
【図５】回転役物と遊技盤の断面図である。
【図６】静止役物の他の実施形態を示す断面図である。
【符号の説明】
【００２８】
２  パチンコ遊技機
４  遊技盤
２０，４５  静止役物（構造物）
２１ａ，２１ｂ，４７  役物取り付け穴
２２ａ，２２ｂ，３２，４６  圧入部材
２３，４０  コネクタ（第１のコネクタ）
２４，３９  コネクタ（第２のコネクタ）
２５，３７  照明装置
３０  回転役物（構造物）
３３  可動部材
４８ａ，４８ｂ  抜け止め部材
４９ａ，４９ｂ  抜け止め穴
【図１】
2005230089.tif 000003
【図２】
2005230089.tif 000004
【図３】
2005230089.tif 000005
【図４】
2005230089.tif 000006
【図５】
2005230089.tif 000007
【図６】
2005230089.tif 000008